(57)【要約】【課題】新郎新婦の名前や画像等、若しくは、招待客の氏名を、範囲を限定することなく設けることが可能であり、かつ、結婚式等という市場に受け入れられるシート状物を提示すること。【解決手段】結婚式等の贈答品として贈答される贈答品において、基板と、前記基板に設けられた情報記録領域と、前記基板中央に設けられた中心孔と、を有する光記録媒体と、前記基板と略同型のシート基板と、前記シート基板の片面に設けられ、表面と認識される概念駆動型可視情報を有する表インキ層と、前記表インキ層とシート基板に対して対向する面に設けられ、光記録媒体と剥離可能に貼着する貼着層と、を有する保護シートとを有し、前記保護シートが、前記光記録媒体の中心孔を覆うように、光記録媒体と剥離可能に貼着していることを特徴とする結婚式等において贈答するシート状物である。【選択図】図３
2005100532.tif 000002
【特許請求の範囲】
【請求項１】
結婚式等の贈答品として贈答される贈答品において、
基板と、前記基板に設けられた情報記録領域と、前記基板中央に設けられた中心孔と、を有する光記録媒体と、
前記基板と略同型のシート基板と、前記シート基板の片面に設けられ、表面と認識される概念駆動型可視情報を有する表インキ層と、前記表インキ層とシート基板に対して対向する面に設けられ、光記録媒体と剥離可能に貼着する貼着層と、を有する保護シートとを有し、
前記保護シートが、前記光記録媒体の中心孔を覆うように、光記録媒体と剥離可能に貼着していることを特徴とする結婚式等において贈答するシート状物。
【請求項２】
結婚式等の贈答品として贈答される贈答品において、
基板と、前記基板に設けられた情報記録領域と、前記基板中央に設けられた中心孔とを有する光記録媒体と、
前記基板と略同型のシート基板と、前記シート基板の片面に設けられ、表面と認識される概念駆動型可視情報を有する表インキ層と、表インキ層とシート基板に対して対向する面に設けられ、概念駆動型可視情報を有する裏インキ層と、前記裏インキ層に設けられ、光記録媒体と剥離可能に貼着する貼着層と、を有する保護シートとを有し、
前記保護シートが、前記光記録媒体の中心孔を覆うように、光記録媒体と剥離可能に貼着していることを特徴とする結婚式等において贈答するシート状物。
【請求項３】
前記シート状物の形状はカード状であることを特徴とする請求項１または請求項２に記載の結婚式等において贈答するシート状物。
【請求項４】
前記表インキ層は、結婚式等に招待された招待客の氏名という概念を駆動させることを特徴とする請求項１乃至請求項３いずれか一つに記載の結婚式等において贈答するシート状物。
【請求項５】
前記表インキ層以外の部分が招待客へのメッセージという概念を駆動させることを特徴とする請求項１乃至請求項４いずれか一つに記載の結婚式等において贈答するシート状物。
【請求項６】
前記光記録媒体は、情報読み取り面と対向する面に設けられ、裏面と認識される概念駆動型可視情報を有するレーベルを有していることを特徴とする請求項１乃至請求項５いずれか一つに記載の結婚式等において贈答するシート状物。
【発明の詳細な説明】
【技術分野】
【０００１】
本発明は、結婚式や結婚披露宴（以下、結婚式や結婚披露宴を「結婚式等」と称す。）で贈答される贈答品に関する。
【背景技術】
【０００２】
従来より、例えばＪＩＳＸ６２４１に定められる１２０ｍｍＤＶＤ再生専用ディスクのような、光記録媒体がある。これは、ポリカーボネートなどの透明樹脂からなる円盤状のディスク基板と、基板中央に設けられた中心孔と、中心孔の周囲に設けられたクランプゾーンと、クランプゾーンの外周側に情報が記録された情報記録領域とによって構成されている。
【０００３】
近年、上述したような光記録媒体は、結婚式や結婚披露宴（以下、結婚式や結婚披露宴等、結婚にまつわる儀式を「結婚式等」と称す。）における贈答品の一つとして採用されるようになっている。例えば、カタログを結婚式等の招待客に渡し、それを受け取った招待客がそのカタログに掲載されている商品の中から所望する商品を選択して受け取るというカタログギフトシステムの一形態として採用されている。具体的には、招待客に選択してもらう商品を光記録媒体に記憶させて招待客に渡したり、贈答品を選択するためコンテンツが記憶されているサーバーにインターネットを介してアクセスする為のプログラムやＵＲＬを光記録媒体に記憶させて渡したり、贈答品を選択する際に入力するＩＤ番号やパスワード等を光記録媒体に記憶させて招待客に渡したりというということが行われている。更には、光記録媒体に結婚式や披露宴の映像や画像を記憶させて招待客に渡したり、招待客へのメッセージを記憶させて招待客に渡したりということも行われている。また、光記録媒体は、席札としても採用されている。例えば、特許文献１には、光記録媒体のうち、レーベルが設けられる領域（以下、「レーベル領域」と称す。）に結婚式等に出席する人の名前を設け、席札として使用する光記録媒体が開示されている。
【０００４】
しかし光記録媒体は、結婚式等において席札や贈答品として採用した場合、結婚式等という市場が受け入れ難くなってしまうという問題を有していた。それは、光記録媒体の企画の関係上、その中心に中心孔を有していることに起因する。つまり、光記録媒体は、その中心に中心孔を有しており、レーベルは中心孔を避けて設けられるため、ドーナッツ状をしている。氏名や画像等はレーベルに設けられるため、結局、氏名や画像等も中心孔を避けて設けるようになる。しかし、中心孔を避けて氏名や画像等を設けると、結婚式等という市場に受け入れ難くなってしまうのである。
【０００５】
すなわち、特許文献１が開示しているように、光記録媒体のレーベル領域に招待客の名前を設け、席札として採用した場合においては、中心孔を避けて氏名が記載されるため、着席時の混乱を生じさせてしまい、結婚式等という市場が受け入れ難くなってしまうという問題を有していた。つまり、席札というものは、その席が誰の席なのかを示すという役割を担うものであるため、ある程度離れた距離からでも席札に何が書かれているかがわかり、更に、自分の席を探している者にとって、すぐに自分の氏名だとわかるように氏名が記載されていなければならない。一般的な席札において、氏名が大きく記載されているのは、ある程度離れた距離からでも席札に何が書かれているかがを知ることが可能にするためである。また、一般的な席札において、氏名が、招待客が通常使用しうる形態で記載されているのは、一目見ただけで自分の名前だとわかり、着席を円滑に進めることが可能になるようにするためである。しかし、特許文献１が開示しているように、光記録媒体のレーベル領域に氏名を記載する場合では、例えば、中心孔に沿って円や弧を描いて氏名が記載されたり、姓と名の間に中心孔が位置するようになるため、招待客が通常使用しうる形態で氏名を設けることができない。よって、着席時の混乱を生じさせてしまい、結婚式等という市場が受け入れ難くなってしまうという問題を有していた。
【０００６】
ここで、氏名を、招待客が通常使用しうる形態で記載した方が、着席を円滑に進めることが可能になるのは、通常使用しうる形態であれば、それをイメージとして記憶しているため、一目見るだけで自分の氏名とわかるからである。例えば、日本人において、通常使用しうる形態とは、漢字で横一文字、若しくは、縦一文字で記載された氏名である。つまり、日本人は、日常生活の中で自分の氏名を漢字で横一文字、若しくは、縦一文字に記載したり、漢字で横一文字、若しくは、縦一文字に記載された自分の氏名を目にする機会が多いため、漢字で横一文字、若しくは、縦一文字に書かれた自分の氏名をイメージとして記憶している。よって、氏名が漢字で横一文字、若しくは、縦一文字に大きく書かれた席札では、一目見ただけで自分の氏名だとわかるようになるため、着席を円滑に終えることが可能になる。しかし、特許文献１が開示しているように、光記録媒体のレーベル領域に氏名を記載する場合では、例えば、中心孔に沿って円や弧を描いて氏名が記載されたり、姓と名の間に中心孔が位置するようになる。このような表示形態は、日常生活の中で記載したり目にしたりする機会が少ないため、イメージとして記憶していない。よって、いくら文字を大きくしても、記載されている氏名が自分の名前であると理解するには、一目見るだけでは困難であり、記載されている氏名を読んで初めて自分の名前と気がつくようになるため、着席が円滑に行われなくなってしまい、結婚式等という市場が受け入れ難くなってしまっていた。更に、中心孔が存在するため、席札と気が付かれず、着席が円滑に行われなくなってしまうという問題も有しており、結婚式等という市場に受け入れ難くなってしまっていた。
【０００７】
また、光記録媒体が、結婚式等という市場に受け入れ難くなってしまうという問題は、レーベル領域に新郎新婦の氏名や、レーベル領域に新郎新婦が写っている画像や、新郎新婦を表現している似顔絵等を設けた場合に特に顕著であった。例えば、新郎新婦の名前をレーベル領域に設け、贈答品として採用しようとすると、新郎の名前と新婦の名前の間に中心孔が位置することが生じ、新郎と新婦の間に何らかの障害がある、もしくは、新郎と新婦がこれからの人生をともに歩めないことを暗示するように解釈し得るため、結婚式等という市場が受け入れ難くなってしまっていた。また例えば、レーベル領域に新郎新婦が写っている画像や、新郎新婦を表現している似顔絵等を設けようとした場合も同様に、新郎の画像や似顔絵と新婦の画像や似顔絵の間に中心孔が位置することが生じ、新郎と新婦の間に何らかの障害がある、もしくは、新郎と新婦がこれからの人生をともに歩めないことを暗示するように解釈し得るため、結婚式等において結婚式等という市場が受け入れ難くなってしまっていた。結局、結婚式等において光記録媒体を贈答品の一つや席札として採用した場合は、新郎新婦の名前や、新郎新婦が写っている画像や、新郎新婦を表現している似顔絵等（以下、新郎新婦の名前や、新郎新婦が写っている画像や、新郎新婦を表現している似顔絵等を「新郎新婦の名前等」と称す）を設けたときに、新郎と新婦の間に中心孔が位置しないように、新郎新婦の名前等を小さく設けたり、中心孔を通る直線でレーベル領域を半分に分け、分けられたどちらかの領域に寄せるようにして設けたりという形態しか採用することができず、設ける範囲が限定されていた。
【特許文献１】実用新案登録第３０９１３３３号
【発明の開示】
【発明が解決しようとする課題】
【０００８】
本願発明はこのような問題点を解決するためになされたものであり、その課題とするところは、新郎新婦の名前や画像等、若しくは、招待客の氏名を、範囲を限定することなく設けることが可能であり、かつ、結婚式等という市場に受け入れられるシート状物を提示することを課題とする。
【課題を解決するための手段】
【０００９】
上記課題を解決するため本願発明の請求項１は、結婚式等の贈答品として贈答される贈答品において、基板と、前記基板に設けられた情報記録領域と、前記基板中央に設けられた中心孔と、を有する光記録媒体と、前記基板と略同型のシート基板と、前記シート基板の片面に設けられ、表面と認識される概念駆動型可視情報を有する表インキ層と、前記表インキ層とシート基板に対して対向する面に設けられ、光記録媒体と剥離可能に貼着する貼着層と、を有する保護シートとを有し、前記保護シートが、前記光記録媒体の中心孔を覆うように、光記録媒体と剥離可能に貼着していることを特徴とする結婚式等において贈答するシート状物である。
【００１０】
また、本願発明の請求項２は、結婚式等の贈答品として贈答される贈答品において、基板と、前記基板に設けられた情報記録領域と、前記基板中央に設けられた中心孔とを有する光記録媒体と、前記基板と略同型のシート基板と、前記シート基板の片面に設けられ、表面と認識される概念駆動型可視情報を有する表インキ層と、表インキ層とシート基板に対して対向する面に設けられ、概念駆動型可視情報を有する裏インキ層と、前記裏インキ層に設けられ、光記録媒体と剥離可能に貼着する貼着層と、を有する保護シートとを有し、前記保護シートが、前記光記録媒体の中心孔を覆うように、光記録媒体と剥離可能に貼着していることを特徴とする結婚式等において贈答するシート状物である。
【００１１】
また、本願発明の請求項３は、前記シート状物の形状はカード状であることを特徴とする請求項１または請求項２に記載のシート状物である。
【００１２】
また、本願発明の請求項４は、前記表インキ層は、結婚式等に招待された招待客の氏名という概念を駆動させることを特徴とする請求項１乃至請求項３いずれか一つに記載の結婚式等において贈答するシート状物である。
【００１３】
また、本願発明の請求項５は、前記表インキ層以外の部分が招待客へのメッセージという概念を駆動させることを特徴とする請求項１乃至請求項４いずれか記載のシート状物である。
【００１４】
また、本願発明の請求項６は、前記光記録媒体は、情報読み取り面と対向する面に設けられ、裏面と認識される概念駆動型可視情報を有するレーベルを有していることを特徴とする請求項１乃至請求項５いずれか一つに記載の結婚式等において贈答するシート状物である。
【発明の効果】
【００１５】
すなわち、本願発明の請求項１によれば、光記録媒体と、保護シートが、前記光記録媒体の中心孔を覆うように剥離可能に貼着しているため、保護シートによって光記録媒体の中心孔を塞ぐことが可能になる。更に、保護シートを構成する光記録媒体と貼着する面と対向する面に位置する表インキ層は、表面と認識される概念駆動型可視情報を有しているため、範囲を限定することなく新郎新婦の名前等を設けることが可能であり、その結果、結婚式等という市場が受け入れることが可能になる。
【００１６】
つまり、保護シートを構成するシート基板は、その輪郭が基板と略同型であるということであるため、中心孔を有していない。また、保護シートが有する表インキ層は、シート基板の片面全体に設けることが可能であるため、中心孔は存在しない。したがって、表面と認識される概念駆動型可視情報である新郎新婦の名前等をインキ皮膜として設けて、表インキ層を形成することによって、範囲を限定することなく新郎新婦の名前等を設けることが可能になる。
【００１７】
更に、本願発明のシート状物では、保護シートを構成する表インキ層が、表面と認識される概念駆動型可視情報を有するため、保護シート側がシート状物の表面であると常に認識させることが可能であり、結婚式等という市場に受け入れられる形態にすることが可能になる。すなわち、本願発明のシート状物は、保護シートと光記録媒体とを剥離可能に貼着して構成されているため、例えば、光記録媒体のレーベル領域に、表面と認識される概念駆動型可視情報をインキ皮膜として設けたならば、従来の技術における形状と全く同じになり、結婚式等という市場に受け入れられなくなってしまう。しかし、本願発明によれば、表インキ層が表面と認識される概念駆動型可視情報を有しているため、シート状物を構成した際に、保護シート側がシート状物の表面であると常に認識させることが可能になり、その結果、結婚式等という市場が受け入れることが可能になる。
【００１８】
すなわち、従来の技術において、結婚式等という市場が光記録媒体を受け入れ難くなってしまったのは、光記録媒体のレーベルを表面と認識したことに起因する。つまり、中心孔を有するレーベルが表面と認識されるように、レーベル領域に表面と認識される概念駆動型可視情報をインキ皮膜として設けたため、新郎と新婦の間に中心孔が位置するような新郎新婦の氏名等を招待客に見せてしまうことになり、その結果、結婚式等という市場が受け入れることが困難になってしまったのである。本願発明のシート状物では、保護シートが有する表インキ層が、シート状物の表面と認識されるように、表面と認識される概念駆動型可視情報を有するため、新郎と新婦の間に中心孔が位置するような新郎新婦の氏名等を招待客に見せてしまうことがなくなり、その結果、結婚式等という市場が受け入れることが可能になる。
【００１９】
ここで、表インキ層が有する表面と認識される概念駆動型可視情報とは、上述したような、新郎新婦の名前等に限定する必要は無い。光記録媒体と保護シートとを貼着してシート状物を構成した場合において、保護シート側が表面であると認識させることが可能であればいずれの情報でもよく、本願発明のシート状物の使用用途によって任意に定めることが可能である。例えば、本願発明のシート状物を結婚式等における招待客への記念品として贈答する場合では、表面と認識される概念駆動型可視情報には、新郎新婦の名前等や、招待客も一緒に写っている画像等を採用することが可能である。また例えば、本願発明のシート状物を結婚式等における招待客へのメッセージカードとして贈答する場合では、表面と認識される概念駆動型可視情報には、招待客へのお礼の言葉等を採用することが可能である。また例えば、本願発明のシート状物を席札として使用する場合は、表面と認識される概念駆動型可視情報には招待客の氏名等を採用することが可能である。なお、これらに限定する必要は無く、本願発明のシート状物をどのように使用するかによって、表面と認識される概念駆動型可視情報を任意に定めることが可能である。なお、表面と認識されるとは、シート状物の表面と認識されるということである。
【００２０】
また、本願発明のシート状物では、互いに別々の役割を果たす二つのものが、貼着することによって構成されているため、結婚式等という市場が、より受け入れやすくなることを可能にしている。すなわち、本願発明のシート状物は、情報を記録するという役割を果たす光記録媒体と、新郎新婦の名前や画像等を設けることができる保護シートという、互いに別々の役割を果たす二つのものが、貼着することによって、範囲を限定することなく新郎新婦の名前等を設けることが可能であり、かつ、結婚式等という市場が受け入れることが可能になるという優れた効果を生むシート状物を作り上げている。このことは、結婚すること、すなわち、互いに別々の役割を果たす男女が夫婦になり、円満な家庭を築いてゆくということを暗喩しているともいえ、本願発明のシート状物は、結婚式等という市場がより受け入れやすい形状をしている。更に、本願発明のシート状物は、情報を記録することはできるが中心孔を有するために新郎新婦の名前等を設けることができないという難点を有する光記録媒体と、新郎新婦の名前等を設けることができるが情報を記録することができないという難点を有する保護カードとが貼着することによって構成されている。つまり、互いに貼着することによって、それぞれが有する難点を補いながら、一つの目的を果たしており、このことも、男女が、それぞれの欠点を補いながら、家庭を築くという一つの目的を果たしてゆくというということを暗喩しているといえる。よって、本願発明のシート状物は、結婚式等という市場が、より受け入れやすくなることを可能にしている。
【００２１】
なお、上述したことは、保護シートの厚みを光記録媒体の厚みと略同一、若しくは、光記録媒体の厚みよりも薄くすることによって、より顕著にすることが可能である。すなわち、本願発明のシート状物を構成する保護シートの厚みを、光記録媒体の厚みと略同じ厚み、若しくは、光記録媒体の厚みよりも薄くすることによって、光記録媒体と保護シートとが違和感なくシート状物という一つの製品を構成しているように認識させることが可能になる。その結果、これから夫婦となる新郎と新婦が、違和感なく夫婦生活を送ること、すなわち、円満な家庭を築くことが可能になることを暗喩することが可能になり、その結果、結婚式等という市場が、より受け入れやすくすることが可能になる。なお、保護シートの厚みを光記録媒体の厚みと略同一、若しくは、光記録媒体の厚みよりも薄くするとは、具体的には、保護シートの厚みが、光記録媒体の厚みである１．２ｍｍ以下が好ましく、更に好ましくは、０．１ｍｍ以上、１ｍｍ以下が好ましい。なお、近年では、厚みが０．６ｍｍである光記録媒体も存在するため、より好ましくは、０．１ｍｍ以上、０．６ｍｍ以下であることが好ましい。
【００２２】
なお、本願発明の保護シートが有するシート基板の大きさは、光記録媒体の基板と略同じ大きさ、若しくは、光記録媒体の基板よりも大きい。よって、保護シートの厚みを光記録媒体の厚みと略同一、若しくは、光記録媒体の厚みよりも薄くすることだけで、光記録媒体と保護シートとが違和感なくシート状物という一つの製品を構成しているように認識させるという効果を生じさせることが可能である。なお、シート基板が光記録媒体の基板と略同形とは、その輪郭が光記録媒体の基板と略同じであるということであり、シート基板には中心孔は存在しない。
【００２３】
また、本願発明の保護シートと光記録媒体は、保護シートによって光りきろう媒体の中心孔を塞ぐことが可能であれば、どのように貼着させることも可能である。例えば、レーベルが設けられている面と保護シートの貼着層とを剥離可能に貼着することによってシート状物を構成することも可能であるが、レーザー光によって記憶されている情報を読み取る際に、レーザー光が入射する面（以下、「情報読み取り面」と称す。）と剥離可能に貼着すれば、光記録媒体の情報読み取り面から光が洩れてしまうことを防ぐことが可能になるため、保護シートは、光記録媒体の情報読み取り面と剥離可能に貼着することが好ましい。すなわち、光記録媒体の情報読み取り面は、レーザー光の照射によって、記録・再生を行う面であるため、光を反射するようになっている。しかし、結婚式等では、キャンドルサービス等のように室内を暗くして行う儀式が存在するため、このときに光が情報読み取り面に反射した結果、光がシート状物から洩れてしまうと、儀式の妨げになってしまうという問題が生じる。例えば、表インキ層が有する表面と認識される概念駆動型可視情報に、結婚式等に招待された招待客の氏名を採用し、保護シートを、席札として結婚式等のテーブルの上等に置いた場合において、読み取り面の全体が保護シートによって覆われていない場合では、光記録媒体の常用読み取り面に光が反射した結果、意図しない光がテーブルの上等に置かれたシート状物から洩れ、儀式の妨げになってしまうことが考えられる。よって、保護シートは、光記録媒体の情報読み取り面と剥離可能に貼着すれば、光記録媒体から光が洩れてしまうことを防ぐことが可能になり、結婚式等で行われる儀式の妨げになるという問題を解決することが可能になる。
【００２４】
更に、シート基板の大きさを光記録媒体の大きさよりも大きくし、シート状物を構成した際に、光記録媒体から保護シートが突出するようにしておくことによって、反射した光が洩れてしまうことをより確実に防ぐことが可能になる。すなわち、光記録媒体の情報読み取り面には、光記録媒体の情報読み取り面を下にして、机の上等に置いたときに、情報読み取り面が机の上等と接触して傷が付くことを防ぐために、机の上等と情報読み取り面との間に隙間を形成する役割を果たすリブが設けられていることが多い。しかし、リブが存在すると、保護シートと光記録媒体とを貼着した際に両者が完全に貼着せず、光記録媒体と保護シートの間に間隙が形成され、この間隙から光が入り込んで情報読み取り面と反射し、光が洩れてしまう場合が考えられる。そこで、保護シートのシート基板の大きさを光記録媒体の基板の大きさよりも大きくすることによって、保護シートと光記録媒体とを貼着した際、リブによって形成された間隙に光が入り込むことを防ぐことが可能になり、その結果、反射した光が洩れてしまうことを確実に防ぐことが可能になる。
【００２５】
更に、シート基板の大きさを光記録媒体の大きさよりも大きくし、シート状物を構成した際に、光記録媒体から保護シートが突出するようにしておくことによって、容易に剥離することが可能になる。すなわち、光記録媒体の基板と、保護シートのシート基板の大きさがまったく同じであり、かつ、それぞれの外周が略一致するように貼着している場合では、保護シートを剥離する際に、保護シートと光記録媒体との間に薄い物品（例えば、はさみの刃や、カッターの刃、定規等）入れて保護シートと光記録媒体を剥離しなければならなくなってしまう。これでは、保護シートを剥離する際に、光記録媒体に傷をつけることになる。よって、保護シートのシート基板の大きさは、光記録媒体の基板よりも大きくし、基板の外周からシート基板の少なくとも一部が突出するようにすると、この突出している部分を利用して、シート基板を反らす事が可能になるため、薄い物品を使用することなく、容易に保護シートを剥離することが可能になるためより好ましい。
【００２６】
なお、保護シートのシート基板の大きさを、光記録媒体の基板よりも大きくした場合は、あまりにも大きくしてしまうと、光記録媒体と保護シートが違和感なくシート状物という一つの製品を構成しているように認識させることが困難になるため、シート基板の大きさは、大きくし過ぎないほうが好ましく、具体的には、保護シートと光記録媒体とを貼着してシート状物を構成した際に、保護シートのシート基板のうち、光記録媒体の基板の外周から突出する部分の長さが０．１ｍｍ以上２．５ｍｍ以下になるようにすることが好ましい。更には、保護シートのシート基板のうち、光記録媒体の基板の外周から突出する部分の長さが略２ｍｍになるようにするのが好ましい。また、保護シートのシート基板のうち、光記録媒体の基板の外周から突出する部分は、光記録媒体から均等に突出するようにしたほうが、反射した光が洩れてしまうことを確実に防ぐことが可能になり、かつ、光記録媒体と保護シートとが違和感なくシート状物という一つの製品を構成しているように認識させることが可能になる。結局、結婚式等の贈答品として贈答される贈答品において、基板と、前記基板に設けられた情報記録領域と、前記基板中央に設けられた中心孔と、を有する光記録媒体と、前記基板と略同型のシート基板と、前記シート基板の片面に設けられ、表面と認識される概念駆動型可視情報を有する表インキ層と、前記表インキ層とシート基板に対して対向する面に設けられ、光記録媒体と剥離可能に貼着する貼着層と、を有する保護シートとを有し、前記保護シートが、前記光記録媒体の情報読み取り面の全体を覆い、かつ、光記録媒体の外周から均等に突出するように、光記録媒体と保護シートとが剥離可能に貼着していることを特徴とする結婚式等において贈答するシート状物では、本願発明の請求項１記載の効果に加え、反射した光が洩れてしまうことを防ぐことが可能になり、かつ、光記録媒体とシート状物とが違和感なくシート状物という一つの製品を構成しているように認識させることが可能になる。なお、情報読み取り面の全体とは、光記録媒体の中心孔も含んだ情報読み取り面側の全体である。
【００２７】
また、保護シートの貼着層と光記録媒体の情報読み取り面とを剥離可能に貼着した場合において、表インキ層の背景と、光記録媒体のレーベルの背景が略同じになるようにすると、光記録媒体と保護シートとが、違和感なくシート状物という一つの製品を構成しているように認識させることがより可能になる。ここで、表インキ層の背景とは、表インキ層が有する表面と認識される概念駆動型可視情報のうち、表面と認識される主要な概念駆動型可視情報以外の部分である。例えば、表インキ層に、新郎新婦の氏名等と花柄の模様とを設けた場合は、表面として認識される主要な概念駆動型可視情報は、新郎新婦の氏名等であるので、背景は、花柄の模様となる。また、レーベルの背景とは、レーベルに設けられた概念駆動型可視情報のうち、主要な概念駆動型可視情報以外の部分である。例えば、レーベルに、光記録媒体の使用方法の説明書きと花柄の模様を設けた場合は、主要な概念駆動型可視情報は光記録媒体の使用方法の説明書きであるので、背景は、花柄の模様となる。なお、例えば、模様だけが設けられていたり、若しくは無地である場合のように、主要な概念駆動型可視情報が存在しない場合等は、全ての部分が背景となる。
【００２８】
なお、本願発明のシート状物を構成する光記録媒体とは、レーザー光の照射によって再生や記録を行う記録媒体であり、基板にデジタル情報で構成された信号の微小な凹凸を設け、その上に記録膜あるいは反射膜などの膜が積層されたものである。具体的には、例えば、ＣＤやＤＶＤなどがあり、更に詳しくは、ＣＤではＣＤ−ＲやＣＤ−ＲＷなどがあり、ＤＶＤでは、ＤＶＤ−Ｒ、ＤＶＤ−ＲＡＭ、ＤＶＤ−ＲＷ等がある。別段これらに限定する必要はなく、レーザー光の照射によって、記録・再生を行うことができる記録媒体が該当する。
【００２９】
また、光記録媒体に記憶する情報は、任意のものを採用することが可能である。例えば、招待客に選択してもらう商品に関する情報であってもよいし、贈答品を選択するためコンテンツが記憶されているサーバーにインターネットを介してアクセスする為のプログラムやＵＲＬであってもよいし、贈答品を選択する際に入力するＩＤ番号やパスワード等であってもよいし、光記録媒体に結婚式や披露宴の映像や画像であってもよいし、招待客へのお礼のビデオレターであってもよいし、これらの組み合わせであってもよい。例えば、表インキ層で新郎新婦の画像等を表し、光記録媒体に結婚式や披露宴の映像や画像等を記憶させれば、より思い出となる贈答品を作成することが可能になる。また、例えば、お礼のビデオレターと贈答品を選択するためコンテンツが記憶されているサーバーにインターネットを介してアクセスする為のプログラムとを記憶させ、ビデオレターが終わった後にプログラムを起動させるようにすれば、より心のこもった贈答品を作成することが可能になる。また、光記録媒体に招待客に選択してもらう商品に関する情報を記憶させ、後述する裏インキ層によって光記録媒体の使用方法や、商品の選択のし方等の説明という概念を駆動させるようにすれば、別途説明書を添付することが無くなり、より携帯しやすい贈答品とすることが可能になる。なお、これらに限定する必要は無く、光記録媒体に記憶する情報は任意のものを採用することが可能である。
【００３０】
また、本願発明の請求項２によれば、基板と、前記基板に設けられた情報記録領域と、前記基板中央に設けられた中心孔とを有する光記録媒体に、前記基板と略同型のシート基板と、前記シート基板の片面に設けられ、表面と認識される概念駆動型可視情報を有する表インキ層と、表インキ層とシート基板に対して対向する面に設けられ、概念駆動型可視情報を有する裏インキ層と、前記裏インキ層に設けられ光記録媒体と剥離可能に貼着する貼着層を有する保護シートが、前記光記録媒体の中心孔を覆うように、光記録媒体と剥離可能に貼着しているため、範囲を限定することなく新郎新婦の名前等を設けることが可能であり、その結果、結婚式等という市場が受け入れることが可能になる。
【００３１】
更に、本願発明の請求項２によれば、保護シートが裏インキ層を有しているため、より結婚式等という市場に受け入れられるシート状物を提供することが可能になる。すなわち、請求項１に包含される形態である、裏インキ層を有していない場合では、表インキ層に新郎新婦の名前等を設けてしまうと、新郎新婦の名前等以外の情報、例えば、招待客へのお礼の言葉や、贈答品を選択する際に入力するためのＩＤ番号やパスワード等は、光記録媒体のレーベル領域に設けることになる。しかし、レーベル領域にこれらの情報を設けようとすると、中心孔を避けるようにして設けられるため、お礼の言葉や文章が読み難くなってしまうという問題を有していた。本願請求項２記載の発明では、裏インキ層を有しているため、表面インキ層に設けることができずにレーベル領域に設けていた情報を裏インキ層に設けることが可能になり、文章が読み難くなるという問題を解決することが可能になり、より結婚式等という市場に受け入れられるシート状物を提供することが可能になる。
【００３２】
なお、本願発明のシート状物を構成する保護シートのシート基板は、中心孔を有していないため、裏インキ層に中心孔は存在しない。よって、中心孔を避けて設けられた結果、文章が読み難くなってしまうということは生じない。
【００３３】
ここで、裏インキ層が有する概念駆動型可視情報とは、任意のものを採用することが可能である。しかし、裏インキ層は、その上に光記録媒体と貼着する貼着層を有し、光記録媒体と貼着する面であるため、表面と認識される概念駆動型可視情報を有する表インキ層と比較した場合に、裏インキ層が保護シートの裏面と認識されるような概念駆動型可視情報である方が、結婚式等という市場が受け入れることがより可能になるため好ましい。なお、表面と認識される概念駆動型可視情報を有する表インキ層と比較した場合に、裏インキ層が保護シートの裏面と認識されるような概念駆動型可視情報とは、表インキ層が有する概念駆動型可視情報に対応して任意に定める事が可能である。例えば、本願発明のシート状物を結婚式等における招待客への記念品として採用し、表インキ層が有する表面と認識される概念駆動型可視情報が新郎新婦の名前等である場合では、裏インキ層は、少なくとも招待客へのお礼の言葉や、光記録媒体の使用方法の説明や、贈答品の受け取り方の説明や、受け取る際のＩＤ番号及びパスワード等のいずれかになる。また例えば、本願発明のシート状物を招待客へのお礼のメッセージカードとして採用し、表インキ層が有する表面と認識される概念駆動型可視情報が招待客へのお礼の言葉である場合は、裏インキ層は、少なくとも光記録媒体の使用方法の説明や、贈答品の受け取り方の説明や、受け取る際のＩＤ番号及びパスワード等のいずれかになる。また例えば、本願発明のシート状物を席札として採用し、表インキ層が有する表面として認識される概念駆動型可視情報が招待客の氏名である場合は、裏インキ層は、少なくとも招待客へのお礼の言葉や、光記録媒体の使用方法の説明や、贈答品の受け取り方の説明や、受け取る際のＩＤ番号及びパスワード等のいずれかになる。なお、別段これらに限定する必要は無く、表面と認識される概念駆動型可視情報を有する表インキ層と比較した場合に、裏インキ層が保護シートの裏面と認識されるような概念駆動型可視情報であればいずれのものを採用することが可能である。
【００３４】
また、保護シートの貼着層と光記録媒体の情報読み取り面とを剥離可能に貼着させることによってシート状物を構成した場合において、中心孔近傍で、裏インキ層とレーベルが連続して認知可能な概念駆動型可視情報になるようにすると、本願発明のシート状物の裏面に相当する光記録媒体側が招待客に見えてしまっても中心孔が存在することによって生じる不自然感をなくすことが可能になるため、例えば、本願発明のシート状物を席札として採用した場合にテーブル等の上に立てて置くことが可能になり、より遠く離れた地点から席札に書かれた氏名を読むことが可能になり、着席を円滑に行うことが可能になる。なお、裏インキ層とレーベルが連続して認知可能な概念駆動型可視情報になるようにするとは、例えば、レーベルの中心孔近傍の概念駆動型可視情報がハートの一部なら、裏インキ層の中心孔近傍付近の概念駆動型可視情報を、中心孔によってレーベルが有することができない残りの部分とし、保護シートの貼着層と光記録媒体の情報読み取り面とを剥離可能に貼着させたときに、中心孔近傍で連続して認知可能な概念駆動型可視情報、すなわち、「ハート」を形成することが可能になるようにするということである。なお、本願請求項２記載の発明においては、裏インキ層が有する概念駆動型可視情報を認識することが可能になるよう、貼着層は半透明、更に好ましくは透明にする必要がある。
【００３５】
また、本願発明の請求項３によれば、シート状物がカード状であるため、
より結婚式等という市場が受け入れることができるシート状物を提供することが可能になる。つまり、請求項１に包含される形態である、シート状物が円形の場合では、シート状物を受け取った招待客を不要に困らせてしまう可能性がある。すなわち、結婚式等では、荷物を所定の場所に預けて出席するのがほとんどであるため、式中は、男性は手荷物を何も持たない場合が多く、女性は飾り程度に小さな鞄を持つ場合が多い。このとき、円形のシート状物を招待客に贈答したならば、背広等のポケットや、小さな鞄等に入らないため、シート状物を受け取った招待客を不要に困らせることになり、更には置き場に困った招待客がどこかに置き忘れてしまうという自体が生じてしまう。本願請求項３記載の発明では、シート状物がカード状であるため、携帯性を向上させることが可能になり、背広のポケットや小さな鞄の中に収納することが可能になる。その結果、招待客を不要に困らせてしまう問題を解決することが可能になり、結婚式等を円滑に終わらせることが可能になる。
【００３６】
ここで、カード状とは、シート状物が長方形や正方形等のような略矩形であり、また、その大きさが背広のポケットや小さな鞄に入れる事が可能になる大きさであるということである。具体的には、シート状物の長辺が、３６ｍｍ以上、７６ｍｍ以下の長さであることが好ましく、更には、５４ｍｍ以上、６１ｍｍ以下の長さであることが好ましい。また、シート状物の短辺が、７５ｍｍ以上、９１ｍｍ以下であることが好ましく、更には、８４ｍｍ以上、８７ｍｍ以下であることが好ましい。なお、シート状物の長辺とは、本願発明のシート状物は、保護シートと光記録媒体を剥離可能に貼着した構成であるので、保護シートの長辺と光記録媒体の長辺のうち長い方をさす。また、シート状物の短辺とは、本願発明のシート状物は、保護シートと光記録媒体を剥離可能に貼着した構成であるので、保護シートの短辺と光記録媒体の短辺のうち長い方をさす。また、保護シートの長辺、及び短辺とは、それぞれ保護シートを構成するシート基板の長辺と短辺であり、光記録媒体の長辺、及び短辺とは、それぞれ光記録媒体の基板の長辺と短辺である。
【００３７】
更に、本願発明のシート状物は、光記録媒体の情報読み取り面を保護シートによって保護することが可能であるため、背広等のポケットや小さな鞄等に容易に入れることが可能な大きさのカード状にすることで、どのタイミングでも渡すことが可能になる。すなわち、本願発明のシート状物は、保護シートの貼着層と、光記録媒体の情報読み取り面とを剥離可能に貼着することによって光記録媒体の情報読み取り面が保護することが可能であるため、プラスチックケース等のような外部包装体を使用することなく、持ち運ぶことが可能である。よって、本願発明のシート状物を背広等のポケットや小さな鞄等に容易に入れることが可能な大きさのカード状にすることで、光記録媒体の情報読み取り面に傷が付くことを懸念することなく、容易に背広等のケットや鞄の中に収納することが可能になるため、どのタイミングでも渡すことが可能である。例えば、キャンドルサービスの変わりに、本願発明のシート状物を各招待客に手渡してゆくことも可能であり、招待客一人一人と言葉を交わしながらシート状物を渡すことで、結婚式等の雰囲気をより一層親しみやすいものにすることが可能になる。結局、本願発明のシート状物をカード状、すなわち、カード状の基板にすることによって、上述したような優れた作用効果を奏することが可能になる。
【００３８】
また、本願請求項４記載の発明によれば、前記概念駆動型可視情報を有する表インキ層は、結婚式に招待された招待客の氏名という概念を駆動させるため、着席時の混乱を生じることなく、本願発明のシート状物を席札として採用することが可能になる。
【００３９】
特許文献１が開示しているように、光記録媒体のレーベルに氏名を記載して席札として採用した場合において、着席時に混乱が起き、着席を円滑に行えなくなってしまうのは、特許文献１が開示している席札が光記録媒体のレーベルに氏名を記載しているため、中心孔を避けて氏名を設けなければならにことに起因する。つまり、例えば、中心孔に沿って円や弧を描いて氏名が設けられたり、氏と名の間に中心孔が位置するように氏名が設けられるため、このような表示形態に慣れていない招待客が、一目見るだけでは、自分の名前とすぐにわからないのである。結局、氏名が、中心孔に沿って円や弧を描いて設けられたり、氏と名の間に中心孔が位置するように設けられた席札を採用した場合では、席札に設けられているのが自分の氏名であるかどうかを判断するために、席札に書かれた氏名を読む必要が生じてしまうため、着席に時間がかかってしまい、混乱が生じてしまっていた。しかし、本願発明請求項３記載のシート状物は、中心孔を有していない表インキ層によって、招待客が通常使用しうる形態で氏名という概念を駆動させることが可能になるため、席札を一目見るだけで自分の氏名と認識させることが可能になり、着席を円滑に行うことが可能になる。
【００４０】
更に、シート状物を、本願請求項３記載の発明に包含される形態である、カード状にすることによって、より着席を円滑に行うことが可能になる。すなわち、一般的に席札というものは、長方形や正方形等のような略矩形であるため、招待客は、結婚式等が行われる会場に入場する前から、カード状のものに自分の氏名が設けられていると予想している場合が多い。したがって、本願請求項１記載の発明に包含される形態である、シート状物が円形の場合では、席札であると気が付かれずに着席が円滑に行われなくなってしまう場合が考えられる。よって、シート状物を、本願請求項３記載の発明に包含される形態である、カード状にすることによって、一般的に使用される席札と略動揺の席札を提供することが可能になり、着席を円滑に行うことが可能になる。
【００４１】
なお、招待客の氏名とは、招待客の姓と名の両方であることが好ましいが、結婚式等に招待された客が、自分の席がどれであるのかわかれば、姓と名の両方でなくてもよい。例えば、招待客が新郎の友人の子供である場合は、表インキ層によって駆動される概念は「○○ちゃん」というように名のみであってもよい。
【００４２】
また、本願請求項５記載の発明によれば、前記表インキ層以外の部分招待客へのメッセージという概念を駆動させるため、より招待客に喜ばれるシート状物を贈答することが可能になる。なお、ここで表インキ層以外の部分とは、シート状物に存在する裏インキ層、及び、光記録媒体に存在するレーベルを示す。
【００４３】
例えば、表インキ層によって新郎新婦の名前等という概念を駆動させ、裏インキ層によって招待客へのお礼の言葉という概念を駆動させ、レーベルによって光記録媒体の使用方法という概念を駆動させるようにすると、より心を込めたシート状物を贈答することが可能になり、招待客をより喜ばせることが可能になる。なお、メッセージとは、上述したような、お礼の言葉や光記録媒体の使用方法に限定する必要はなく、招待客に伝えたいこと全てがメッセージに該当する。例えば、贈答品の受け取り方の説明でもよいし、商品を選択する際に入力してもらうＩＤ番号やパスワードなどでもよいし、新郎新婦のプロフィールでもよいし、新郎新婦の新居の住所等であってもよい。また、裏インキ層によってどのようなレメッセージを駆動させ、レーベル領域によってどのようなメッセージを駆動させるかも任意に組み合わせることが可能であり、上述したように、裏インキ層によって招待客へのお礼の言葉という概念を駆動させ、レーベルによって光記録媒体の使用方法という概念を駆動させるということに限定する必要は無い。
【００４４】
なお、招待客により読んでもらいたいメッセージは、レーベルによってその概念を駆動させるのではなく、裏インキ層によって駆動させたほうが、中心孔を有していないため、読み易くすることが可能になるため好ましい。また、メッセージが長い場合でも、レーベルによってその概念を駆動させるのではなく、裏インキ層によって駆動させたほうが、中心孔を有していないため、読みやすくすることが可能になるため好ましい。また、メッセージが、お礼の文章、ＩＤ番号、及び、パスワード等のように、招待客一人一人で異なるようなものである場合は、保護シートが有する裏インキ層によって、その概念を駆動させるようにしたほうが、よりコストを削減してシート状物を作成することが可能になるため、好ましい。すなわち、レーベルは、一般的にスクリーン印刷方式によって設けられるか、レーベルの形状にかたどられたシール等を、レーベル領域に貼着するかの何れかの方法が採用されるため、一つ一つ異なるレーベルを有するように光記録媒体を製造すると、製造コストが上がってしまうという問題を有している。しかし、保護シートでは、シート基板を紙にすることによって、オンデマンド印刷によって製造コストを下げて、一人一人に異なる概念を容易に駆動させることが可能になるため、製造コストを下げて、製造することが可能になる。この際シート状物の材料は、紙であれば、さらに製造コストを下げて製造することが可能になる。
【００４５】
また、本願請求項６記載の発明によれば、光記録媒体と、保護シートが、前記光記録媒体の中心孔を覆うように剥離可能に貼着しているため、保護シートによって光記録媒体の中心孔を塞ぐことが可能になる。更に、保護シートを構成する光記録媒体と貼着する面と対向する面に位置する表インキ層は、表面と認識される概念駆動型可視情報を有しているため、範囲を限定することなく新郎新婦の名前等を設けることが可能であり、その結果、結婚式等という市場が受け入れることが可能になる。更に、レーベルが、裏面と認識される概念駆動型可視情報を有するため、シート状物の光記録媒体側が裏面であり、シート状物の保護シート側が表面と認識させることが可能になり、より結婚式等という市場に受け入れるシート状物を提供することが可能になる。
【００４６】
つまり、本願発明のシート状物は、保護シートと光記録媒体とを剥離可能に貼着して構成されているため、例えば、光記録媒体のレーベル領域に表面と認識される概念駆動型可視情報をインキ皮膜として設けたならば、結婚式等という市場に受け入れられない従来の技術における形状と全く同じになってしまう。しかし、本願発明請求項６によれば、インキ層が表面と認識される概念駆動型可視情報を有し、更に、レーベルが裏面と認識される概念駆動型可視情報を有しているため、シート状物を構成した際に、保護シート側がシート状物の表面であり、光記録媒体側がシート状物の裏面であると常に認識させることが可能になり、その結果、結婚式等という市場が受け入れることが可能になる。
【００４７】
従来の技術において、結婚式等という市場が光記録媒体を受け入れ難くなってしまったのは、光記録媒体のレーベルを表面と認識したことに起因する。つまり、中心孔を有するレーベルが表面と認識されるように、レーベル領域に表面と認識される概念駆動型可視情報をインキ皮膜として設けたため、新郎と新婦の間に中心孔が位置するような新郎新婦の氏名等を招待客に見せてしまうことになり、その結果、結婚式等という市場が受け入れることが困難になってしまったのである。本願発明請求項６記載のシート状物では、保護シートが有する表インキ層がシート状物の表面と認識され、さらに、光記録媒体が有するレーベルがシート状物の裏面と認識されるように、表インキ層が表面と認識される概念駆動型可視情報を有し、レーベルが裏面と認識される概念駆動型可視情報を有するため、新郎と新婦の間に中心孔が位置するような新郎新婦の氏名等を招待客に見せてしまうことがなくなり、その結果、結婚式等という市場が受け入れることが可能になる。
【００４８】
ここで、レーベルが有する表面と認識される概念駆動型可視情報とは、光記録媒体と保護シートとを貼着してシート状物を構成した場合において、光記録媒体側が表面であると認識させることが可能であればいずれの情報でもよく、本願発明のシート状物の使用用途によって任意に定めることが可能である。例えば、本願発明のシート状物を結婚式等における招待客への記念品として採用し、表インキ層が有する表面と認識される概念駆動型可視情報が新郎新婦の名前等である場合では、レーベルは、少なくとも招待客へのお礼の言葉や、光記録媒体の使用方法の説明や、贈答品の受け取り方の説明や、受け取る際のＩＤ番号及びパスワード等のいずれかになる。また例えば、本願発明のシート状物を招待客へのお礼のメッセージカードとして採用し、表インキ層が有する表面と認識される概念駆動型可視情報が招待客へのお礼の言葉である場合は、レーベルは、少なくとも光記録媒体の使用方法の説明や、贈答品の受け取り方の説明や、受け取る際のＩＤ番号及びパスワード等のいずれかになる。また例えば、本願発明のシート状物を席札として採用し、表インキ層が有する表面として認識される概念駆動型可視情報が招待客の氏名である場合は、レーベルは、少なくとも招待客へのお礼の言葉や、光記録媒体の使用方法の説明や、贈答品の受け取り方の説明や、受け取る際のＩＤ番号及びパスワード等のいずれかになる。なお、別段これらに限定する必要は無く、表面と認識される概念駆動型可視情報を有する表インキ層と比較した場合に、レーベルが保護シートの裏面と認識されるような概念駆動型可視情報であればいずれのものを採用することが可能である。
【発明を実施するための最良の形態】
【００４９】
【実施例１】
【００５０】
以下、本願発明を図面に基づき詳細に説明する。
【００５１】
図１は、本願発明におけるシート状物の表面を示す正面図、図2は、図１に示すシート状物の裏面を示す正面図、図3は、図１に示すシート状物を構成する光記録媒体と保護シートとを剥離した直後の状態図である。図１、図２、図３において、1はシート状物、２は保護シート、３は表インキ層、４は保護シート２の中心、５は保護シート２の直径、６は光記録媒体、７は中心孔、８はレーベル、９はレーベル領域、１０は光記録媒体６の中心、１１は光記録媒体６の直径、１２は裏インキ層、１３はクランプゾーン、１４はシート基板、１５は保護シート２の厚み、１６は貼着層、１７は貼着層１６の厚み、１８は情報記録領域、１９は情報読み取り面、２０は基板、２１は光記録媒体６の厚み、２２はリブである。
【００５２】
図１、図２、図３において、シート状物１は円形であり、保護シート２と光記録媒体６が剥離可能に貼着することによって構成されている。また、本実施の形態では、保護シート２と光記録媒体６は、それぞれの中心が略一致するように剥離可能に貼着している。また、保護シート２が有する貼着層１６が、光記録媒体６の情報読み取り面１８と、剥離可能に貼着してシート状物１を構成している。
【００５３】
光記録媒体６は、その直径１１を１２ｃｍとする円形をしており、ポリカーボネートからなる基板２０と、前記基板２０の中央に設けられた中心孔７と、前記基板２０に設けられた情報記録領域１８とを有している。中心孔７は、その直径が１２ｍｍの円であり、光記録媒体６の中心１０にその中心が位置するように設けられている。また本実施の形態では、剥離可能に貼着している保護シート２が裏インキ層１２を有しているため、裏インキ層１２が中心孔７から見えるようになっている。情報読み取り面１９は、前記情報記憶領域１８に記憶されている情報を読み取る際に、レーザー光が照射される面である。また、レーベル8は、前記情報読み取り面１９と対向する面に設けられている。また、リブ２２は、情報読み取り面１９に設けられる突起であり、情報読み取り面１９を下にしてテーブルの上等に置いた場合に、情報読み取り面１９に傷が付かないように、情報読み取り面１９を保護する役割を果たすものである。クランプゾーン１３は、光記録媒体６の中心から半径１１．０ｍｍ以上１６．５ｍｍ以下の範囲であり、再生機によって保持される領域である。レーベル領域９は、レーベル８が設けられる領域である。また、光記録媒体６の厚み２１は、情報記憶領域が存在する部分の厚みであり、本実施の形態では１．２ｍｍである。
【００５４】
また、保護シート２は、その直径５を１２．４ｃｍとする円形をしており、シート基板１４と、表インキ層３と、前記シート基板１４のうち、表インキ層３が設けられた面と対向する面に設けられた裏インキ層１２と、前記裏インキ層１２の上に設けられ、光記録媒体６と剥離可能に貼着する貼着層１６とを有している。
【００５５】
なお、本実施の形態では、保護シート２は、その直径５が１２．４ｃｍとする円形であり、光記録媒体６７の中心１０と保護シート２の中心３４が略一致するように剥離可能に貼着しているため、保護シート２の一部が、光記録媒体６の外周から略２ｍｍ均等に突出している。その結果、光記録媒体６と保護シート２とが、違和感なくシート状物１という一つの製品を構成しているように認識させることが可能になり、かつ、光記録媒体６の情報読み取り面１９に反射した光がシート状物１から洩れてしまうのをより効果的に防ぐことが可能になる。
【００５６】
シート基板１４は、紙より形成され、その直径が１２．４ｃｍである円形をしている。なお、シート基板１４は、その輪郭が光記録媒体６の基板２０と略同形である円である。本願発明において、光記録媒体６の基板２０と略同形のシート基板１４とは、シート基板１４の輪郭が光記録媒体６の基板２０と略同形であるということであり、シート基板１４と基板２０が完全に一致するということではないため、シート基板１４の中心には中心孔７が存在しない。
【００５７】
なお、本実施の形態では、シート基板１４は紙より形成されているが、これに限定する必要は無く、任意の材料を用いることが可能である。例えば、光記録媒体６と同じ、ポリカーボネ―トによって形成することも可能である。なお、シート基板１４は、その厚みを薄くしたほうが、保護シート２の厚み１５を薄くすることが可能になり、その結果、光記録媒体６と保護シート２とが、違和感なくシート状物１という一つの製品を構成しているように認識させることが可能になり、結婚式等という市場に受け入れられることがより可能になるため、その厚みは厚過ぎない方が好ましい。本実施の形態では、シート基板１４には、連量が１８０ｇ／ｍｍのコート紙を採用しており、その厚みは略０．２５ｍｍであるため、保護シート２の厚み１５を光記録媒体６の厚み２１よりも薄くすることが可能になり、その結果、光記録媒体６と保護シート２とが、違和感なくシート状物１という一つの製品を構成しているように認識させることが可能になり、結婚式等という市場に受け入れられることがより可能になる。また、シート基板１４が張りを有していたほうが、光記録媒体６と保護シート２とが、違和感なくシート状物１という一つの製品を構成しているように認識させることが可能になり、結婚式等という市場に受け入れられることがより可能になるため、シート基板は張りを有している方が好ましい。本実施の形態では、シート基板１４には、連量が１８０ｇ／ｍｍのコート紙を採用しているため、張りを有している。よって、光記録媒体６と保護シート２とが、違和感なくシート状物１という一つの製品を構成しているように認識させることが可能になり、結婚式等という市場に受け入れられることがより可能になる。また、本実施の形態のように、シート基板１４に、紙を採用すれば、材料費を抑える事が可能になるだけでなく、表インキ層３と裏インキ層１２を容易に設けることが可能であるため、コストを押さえてシート状物２を製造することが可能になるため、より結婚式等という市場に受け入れられることが可能になる。
【００５８】
なお、シート基板１４に採用するものは、連量が１８０ｇ／ｍｍのコート紙に限定する必要は無く、任意のものを採用することが可能であるが、前述したように、張りを有しており、かつ、保護シート２を形成した際に、その厚み１５を光記録媒体６の厚み２１よりも薄くすることが可能なものをシート基板１４に採用したほうが、光記録媒体６と保護シート２とが、違和感なくシート状物１という一つの製品を構成しているように認識させることが可能になり、その結果、結婚式等という市場に受け入れられることがより可能になるため、好ましい。具体的な例を挙げると、シート基板１４に紙を採用する場合では、例えば、コート紙や、アート紙では、その連量が１５７ｇ／ｍｍ以上であれば、シート基板１４が張りを有するようになり、かつ、保護シート２を形成した際に、保護シート２の厚み１５を光記録媒体６の厚み２１よりも薄くすることが可能である。なお、これに限定する必要は無い。また、本実施の形態では、シート基板１４は、円形であるが、これに限定する必要は無く、光記録媒体６の輪郭に合わせて、任意の形状にすることが可能である。
【００５９】
表インキ層３は、シート基板１４の片面に設けられ、表面と認識される概念駆動型可視情報を有している。本実施の形態では、図示されていないが、表面として認識される概念駆動型可視情報である新郎新婦の画像等が、インキ皮膜としてシート基板１４の片面に設けられており、表インキ層３を構成している。なお、これに限定する必要は無く、表インキ層３には、シート状物２の用途に応じて任意のものを採用することが可能である。例えば、本願発明のシート状物１を結婚式等における招待客への記念品として贈答する場合では、表面と認識される概念駆動型可視情報には、新郎新婦の名前等や、招待客も一緒に写っている画像等を採用することが可能である。また例えば、本願発明のシート状物１を結婚式等における招待客へのメッセージカードとして贈答する場合では、表面と認識される概念駆動型可視情報には、招待客へのお礼の言葉等を採用することが可能である。また例えば、本願発明のシート状物１を席札として使用する場合は、表面と認識される概念駆動型可視情報には招待客の氏名等を採用することが可能である。なお、これらに限定する必要は無く、本願発明のシート状物をどのように使用するかによって、表面と認識される概念駆動型可視情報を任意に定めることが可能である。また、本願発明のシート状物１を席札として使用する場合、招待客の氏名は、招待客が通常使用しうる形態で、横一文字、若しくは縦一文字に大きくした方がよい。氏名を招待客が通常使用しうる形態で、横一文字、若しくは縦一文字に、大きくすることによって、ある程度離れた距離からでも、一目見ただけで自分の名前と知ることが可能になるため、着席を円滑に進めることが可能になる。
【００６０】
また、本実施の形態では、表インキ層３は、オフセット印刷方式によって設けられているが、これに限定する必要は無く、任意の方法を採用することが可能である。例えば、印刷方式を採用する場合では、オフセット印刷方式以外にも、グラビア印刷方式やスクリーン印刷方式等の公知の印刷方式を採用することが可能である。また印刷方式以外の方法によって表インキ層３を設けることも可能であり、例えば、手書きによって設けることも可能であるし、更には、あらかじめ新郎新婦の氏名等を印刷方式や手書き等で設けたシールをシート基板１４に貼着して表インキ層３を形成するようにしてもよい。なお、表インキ層３をいかなる方法によって形成した場合でも、表インキ層３が色あせることが無いようにしたほうが、より結婚式等にふさわしくなるため好ましい。具体的には、例えば、表インキ層３の上に透明な合成樹脂フィルム等を設け、表インキ層３を保護するようにするとよい。
【００６１】
また、本実施の形態において、表インキ層３は、シート基板１４の片面全体に設けられているが、これに限定する必要はなく、表インキ層３を設ける範囲は、任意に定めることが可能である。なお、表インキ層３は、シート基板１４からはみ出してはならない。
【００６２】
また、表インキ層３の背景と、レーベル８の背景とが略同じになるように、表インキ層３とレーベル８を形成すると、シート状物１を構成した場合に、光記録媒体６と保護シート２とが、違和感なくシート状物１という一つの製品を構成しているように認識させることがより可能になる。例えば、表インキ層３が有する表面と認識される概念駆動型可視情報が、新郎新婦の画像と花柄の模様の背景である場合は、レーベル８の背景も表インキ層３と同じ花柄の模様とした方が、シート状物１を構成した場合に、光記録媒体６と保護シート２とが、違和感なくシート状物１という一つの製品を構成しているように認識させることがより可能になる。なお、表インキ層３の背景とは、表インキ層３が有する表面と認識される概念駆動型可視情報のうち、表面と認識される主要な概念駆動型可視情報以外の部分である。例えば、表インキ層３に、新郎新婦の氏名等と花柄の模様とを設けた場合は、表面として認識される主要な概念駆動型可視情報は、新郎新婦の氏名等であるので、花柄の模様が背景となる。また、レーベル８の背景とは、レーベル８に設けられた概念駆動型可視情報のうち、主要な概念駆動型可視情報以外の部分である。例えば、レーベル８に、光記録媒体の使用方法の説明書きと花柄の模様を設けた場合は、主要な概念駆動型可視情報は、光記録媒体の使用方法の説明書きであるので、花柄の模様が背景となる。なお、レーベル８に、例えば、模様だけが設けられていたり、若しくは無地である場合のように、主要な概念駆動型可視情報が存在しない場合は、レーベル８の全ての部分が背景となる。
【００６３】
また、裏インキ層１２は、シート基板１４のうち、表インキ層３が設けられた面とは反対側の面に設けられる層であり、概念駆動型可視情報を有している層である。本実施の形態では、図示されていないが、概念駆動型可視情報である招待客へのお礼の言葉が、インキ皮膜としてシート基板１４に設けられており、裏インキ層１２を構成している。なお、これに限定する必要は無く、裏インキ層１２には、シート状物１の用途に応じて任意のものを採用することが可能である。ただし、裏インキ層１２は、その上に光記録媒体６と貼着する貼着層１６を有し、光記録媒体６と貼着する面に設けられる層であるため、表インキ層３と比較した場合に、裏インキ層１２が保護シート２の裏面と認識される概念駆動型可視情報であることが好ましい。なお、裏インキ層１２に設けられる概念駆動型可視情報は、任意のものを採用することが可能であるが、例えば、模様や無地等のように「背景」という概念しか駆動しないものであってもよい。このように、裏インキ層１２が「背景」という概念しか駆動しない場合では、表インキ層３と比較した場合に、すぐに表インキ層３が保護シート２の表面であり、裏インキ層１２が保護シート２の裏面であると認識することが可能になる。また、本実施の形態では、裏インキ層１２は、オフセット印刷方式によって設けられているが、これに限定する必要は無く、任意の方法を採用することが可能である。例えば、印刷方式を採用する場合では、オフセット印刷方式以外にも、グラビア印刷方式やスクリーン印刷方式等の公知の印刷方式を採用することが可能である。また印刷方式以外の方法によって裏インキ層１２を設けることも可能であり、例えば、手書きによって設けることも可能であるし、更には、あらかじめ作成しておいたシールを貼着して裏インキ層１２を形成するようにしてもよい。なお、裏インキ層１２をいかなる方法によって形成した場合でも、裏インキ層１２が色あせることが無いようにしたほうが、より結婚式等にふさわしくなるため好ましい。具体的には、例えば、裏インキ層１２の上に透明な合成樹脂フィルム等を設け、裏インキ層１２を保護するようにするとよい。
【００６４】
また、本実施の形態において、裏インキ層１２は、シート基板１４の片面全体に設けられているが、これに限定する必要はなく、裏インキ層１２を設ける範囲は、任意に定めることが可能である。なお、裏インキ層１２は、シート基板１４からはみ出してはならない。
【００６５】
また、保護シート２の貼着層１６と光記録媒体６の情報読み取り面８とを剥離可能に貼着させてシート状物１を構成した場合において、シート状物１の裏面から見た場合に、光記録媒体６の中心孔７近傍で、裏インキ層１２とレーベル８が連続して認知可能な概念駆動型可視情報になるように、表インキ層１２とレーベル８を形成すると、本願発明のシート状物１の裏面である光記録媒体６側が招待客に見えてしまっても中心孔７が存在することによって生じる不自然感を解消することが可能になる。その結果、例えば、本願発明のシート状物１を席札として採用した場合に、テーブルの上等に立て掛けて置くことが可能になるため、より離れた地点から席札に書かれた氏名を読むことが可能になり、着席をより円滑に行うことが可能になる。なお、裏インキ層１２とレーベル８が連続して認知可能な概念駆動型可視情報になるようにするとは、例えば、中心孔７近傍におけるレーベル８の概念駆動型可視情報がハートの一部であれば、裏インキ層１２のうち、中心孔７近傍と貼着する部分の概念駆動型可視情報を、中心孔７によってレーベル８が有することができないハートの部分にするということである。このようにすると、保護シート２の貼着層１６と、光記録媒体６の情報読み取り面１９とを剥離可能に貼着してシート状物１を構成し、シート状物１の裏面である光記録媒体６側から見た場合に、中心孔７の近傍において、連続して認知可能な概念駆動型可視情報、すなわち、「ハート」を形成することが可能になり、中心孔７が存在することによって生じる不自然感を解消することが可能になる。
【００６６】
また、貼着層１６は、裏インキ層１２の上に設けられる層であり、光記録媒体６と貼着する役割を果たす層である。本実施の形態では、貼着層１６は、シリコン素材よりなり、光記録媒体６の情報記憶領域１８の全体と剥離可能に貼着することができるように、保護シート２の中心４から半径２２ｍｍ以上１２０ｍｍ以下の範囲にドーナッツ状に設けられている。本実施の形態のように、情報記憶領域１８の全体を貼着層１６によって貼着することが可能になるように、貼着層１６を設けることによって、情報記録領域１８に傷がつくことを防ぐことが可能になるため、容易に再生することが可能になる。また、光記録媒体６を別途ケース等に収納する必要がなくなるため、製造コストを抑えて、結婚式等において贈答する贈答品を製造することが可能になる。なお、これに限定する必要は無く、貼着層１６は、光記録媒体６と剥離可能であれば、任意の形状に設けることが可能である。例えば情報記録領域１８も含めた情報読み取り面１９の全体と貼着するように、シート基板１４の片面全体に設けることも可能であるし、また例えば水玉模様を描くように、任意の箇所に数点設けるようにすることも可能である。なお、貼着層１６をどのように設けても、貼着層１６が、シート基板１４からはみ出してはならない。また、光記録媒体６と保護シート２とを貼着した際において、光記録媒体６が有するリブ２２によって光記録媒体６と保護シート２との間に形成される間隙がなるべく小さくなるように、リブ２２が収まる凹部を貼着層１６に設けておくとよい。
【００６７】
図４は、図１の点線a−aでの断面図である。図１、図２、図３と同じ番号を付したものは同じものであるため説明を割愛し、２５はリブ２２が収まる凹部、２６はシート状物の中心、２７はリブ２２の高さである。
【００６８】
図４において、貼着層１６は、保護シート２の中心から半径２２ｍｍ以上１２０ｍｍ以下の範囲にドーナッツ状に設けられているため、リブ２２が凹部２５に収まり、リブ２２によって光記録媒体６と保護シート２との間に形成される間隙を小さくすることを可能にしている。また、本実施の形態において、リブ２２の高さ２７は、０．２３ｍｍであるのに対し、貼着層の厚み１７は０．２５ｍｍであるため、リブ２２によって光記録媒体６と保護シート２との間に形成される間隙をより小さくすることが可能になっている。別段貼着層１６の厚み１７はこれに限定する必要は無く任意の厚みにすることが可能であるが、一般的にリブ２２の高さ２７は、０．２３ｍｍ以上０．２５ｍｍ以下であることが多いため、貼着層１６の厚み１７は、少なくとも０．２３ｍｍ以上、更には０．２５ｍｍ以上にすることが好ましい。また、一般的にリブ２２は、光記録媒体６の中心１０から半径１５．５ｍｍ以上２２ｍｍ以下の範囲に設けられることが多いため、保護シート２の中心４から半径１５．５ｍｍ以上２２ｍｍ以下の範囲には貼着層１６を設けず、リブ２２が収まる凹部２５を形成するようにするとよい。なお、貼着層１６の厚み１７を、少なくとも０．２３ｍｍ以上、更には、０．２５ｍｍ以上にした場合においても、保護シート２の厚み１５が、光記録媒体６の厚み２１よりも薄くなるようにした方が、シート状物１を構成した場合に、光記録媒体６と保護シート２とが、違和感なくシート状物１という一つの製品を構成しているように認識させることが可能になり、結婚式等という市場が受け入れることがより可能になるため、保護シート２の厚み１５は、光記録媒体６の厚み２１よりも薄くなるようにした方が好ましい。
【００６９】
なお本実施の形態では、貼着層１６は、スクリーン印刷方式によって形成されているが、これに限定する必要は無く、任意の方法を採用することが可能である。例えば、印刷方式を採用する場合では、本実施の形態において採用したスクリーン印刷方式以外にもオフセット印刷方式やグラビア印刷方式を採用してもよいし、また例えば、手作りで設けてもよい。なお、本実施の形態のようにスクリーン印刷方式を採用して貼着層１６を形成すれば、希望の厚みに設けることが可能であり、更に、均等の厚みで設けることが可能である。また、本実施の形態では、貼着層１６はシリコン素材よりなるが、これに限定する必要は無く、光記録媒体６と貼着する役割を果たすことが可能であれば任意の材料を採用して形成することが可能である。
【００７０】
また図４において、シート基板１４の厚みは、０．２５ｍｍであり、貼着層１６の厚み１７は０．２５ｍｍであるため、保護シート２の厚み１５は、略０．５ｍｍとなり、光記録媒体６の厚み２１よりも薄いため、シート状物１を構成した場合に、光記録媒体６と保護シート２とが、違和感なくシート状物１という一つの製品を構成しているように認識させることが可能になり、結婚式等という市場が受け入れることがより可能になる。なお、本実施の形態のように、保護シート２の厚み１５が、光記録媒体６の厚み２１よりも薄くなることに限定する必要は無く、保護シート２の厚み１５が、光記録媒体６の厚み２１よりも厚くてもよい。しかし、保護シート２の厚み１５が、光記録媒体６の厚み２１よりも薄くなったほうが、シート状物１を構成した場合に、光記録媒体６と保護シート２とが、違和感なくシート状物１という一つの製品を構成しているように認識させることが可能になり、結婚式等という市場が受け入れることがより可能になるため好ましい。
【実施例２】
【００７１】
図５は、別の実施の形態を示すシート状物の表面を示す正面図である。また、図６は、図５に示すシート状物の裏面を示す正面図である。また、図７は、図５のシート状物を構成する光記録媒体と保護シートとを剥離した直後の状態図である。図５、図６、図７において、３１はシート状物、３２は保護シート、３３は表インキ層、３４は保護シート３２の中心、３５は保護シート３２の長辺、３６は保護シートの短辺、３７は光記録媒体、３８は中心孔、３９はレーベル、４０はレーベル領域、４１は光記録媒体３７の中心、４２は光記録媒体３７の長辺、４３は光記録媒体３７の短片、４４は裏インキ層、４５はクランプゾーン、４６はシート基板、４７は保護シート３２の厚み、４８は貼着層、４９は貼着層４８の厚み、５０は情報記録領域、５１は情報読み取り面、５２は基板、５３は光記録媒体３７の厚み、５４はリブである。
【００７２】
図５、図６、図７において、シート状物３１長方形であり、保護シート３２と光記録媒３７が剥離可能に貼着することによって構成されている。また、本実施の形態では、保護シート３２と光記録媒体３７は、それぞれの中心が略一致するように剥離可能に貼着している。また、保護シート３２が有する貼着層４８が、光記録媒体３７の情報読み取り面５１と、剥離可能に貼着してシート状物３１を構成している。
【００７３】
光記録媒体３７は、その長辺を８６ｍｍ、短辺を６１ｍｍとする長方形をしており、ポリカーボネートからなる基板５２と、前記基板５２の中央に設けられた中心孔３８と、前記基板５２に設けられた情報記録領域５０とを有している。中心孔３８は、その直径が１２ｍｍの円であり、光記録媒体３７の中心４１にその中心が位置するように設けられている。また本実施の形態では、剥離可能に貼着している保護シート３２が裏インキ層４４を有しているため、裏インキ層４４が中心孔３８から見えるようになっている。また、情報読み取り面５１は、前記情報記憶領域５０に記憶されている情報を読み取る際に、レーザー光が照射される面である。また、レーベル３９は、前記情報読み取り面５１と対向する面に設けられている。また、リブ５４は、情報読み取り面５１に設けられる突起であり、情報読み取り面５１を下にしてテーブルの上等に置いた場合に、情報読み取り面５１に傷が付かないように、情報読み取り面５１を保護する役割を果たすものである。クランプゾーン４５は、光記録媒体３７の中心から半径１１．０ｍｍ以上１６．５ｍｍ以下の範囲であり、再生機によって保持される領域である。またレーベル領域４０は、レーベル３９が設けられる領域である。また、光記録媒体３７の厚み５４は、情報記憶領域が存在する部分の厚みであり、本実施の形態では１．２ｍｍである。
【００７４】
また、保護シート３２は、その長辺３５を９０ｍｍ、その短辺３６を６５ｍｍとする長方形をしており、シート基板４６と、表インキ層３３と、前記シート基板４６のうち、表インキ層３３が設けられた面と対向する面に設けられた裏インキ層４４と、前記裏インキ層４４の上に設けられ、光記録媒体３７と剥離可能に貼着する貼着層４８とを有している。
【００７５】
なお、本実施の形態では、保護シート３２は、その長辺３５が９０ｍｍ、その短辺３６が６５ｍｍである長方形であり、光記録媒体３７の中心４１と保護シート３２の中心３４が略一致するように剥離可能に貼着しているため、保護シート３２の一部が、光記録媒体３７の外周から略２ｍｍ均等に突出している。その結果、光記録媒体３７と保護シート３２とが、違和感なくシート状物３１という一つの製品を構成しているように認識させることが可能になり、かつ、光記録媒体３７の情報読み取り面４１に反射した光がシート状物３１から洩れてしまうのをより効果的に防ぐことが可能になる。
【００７６】
シート基板４６は、紙より形成され、その長辺が９０ｍｍ、その短辺が６５ｍｍである長方形をしている。なお、シート基板４６は、その輪郭が光記録媒体３７の基板５２と略同形である長方形である。本願発明において、光記録媒体３７の基板５２と略同形のシート基板４６とは、シート基板４６の輪郭が光記録媒３７６の基板５２と略同形であるということであり、シート基板４６と基板５２が完全に一致するということではないため、シート基板４６の中心には中心孔３８が存在しない。
【００７７】
なお、本実施の形態では、シート基板４６は紙より形成されているが、これに限定する必要は無く、任意の材料を用いることが可能である。例えば、光記録媒体３７と同じ、ポリカーボネ―トによって形成することも可能である。なお、シート基板４６は、その厚みを薄くしたほうが、保護シート３２の厚み４７を薄くすることが可能になり、その結果、光記録媒体３７と保護シート３２とが、違和感なくシート状物３１という一つの製品を構成しているように認識させることが可能になり、結婚式等という市場に受け入れられることがより可能になるため、その厚みは厚過ぎない方が好ましい。本実施の形態では、シート基板４６には、連量が１８０ｇ／ｍｍのコート紙を採用しており、その厚みは略０．２５ｍｍであるため、保護シート３２の厚み４７を光記録媒体３７の厚み５３よりも薄くすることが可能になり、その結果、光記録媒体３７と保護シート３２とが、違和感なくシート状物１という一つの製品を構成しているように認識させることが可能になり、結婚式等という市場に受け入れられることがより可能になる。また、シート基板４６が張りを有していたほうが、光記録媒体３７と保護シート３２とが、違和感なくシート状物３１という一つの製品を構成しているように認識させることが可能になり、結婚式等という市場に受け入れられることがより可能になるため、シート基板は張りを有している方が好ましい。本実施の形態では、シート基板４６には、連量が１８０ｇ／ｍｍのコート紙を採用しているため、張りを有している。よって、光記録媒体６と保護シート３２とが、違和感なくシート状物３１という一つの製品を構成しているように認識させることが可能になり、結婚式等という市場に受け入れられることがより可能になる。また、本実施の形態のように、シート基板４６に、紙を採用すれば、材料費を抑える事が可能になるだけでなく、表インキ層３３と裏インキ層４４を容易に設けることが可能であるため、コストを押さえてシート状物２を製造することが可能になるため、より結婚式等という市場に受け入れられることが可能になる。
【００７８】
なお、シート基板４６に採用するものは、連量が１８０ｇ／ｍｍのコート紙に限定する必要は無く、任意のものを採用することが可能であるが、前述したように、張りを有しており、かつ、保護シート３２を形成した際に、その厚み４７を光記録媒体３７の厚み５３よりも薄くすることが可能なものをシート基板４６に採用したほうが、光記録媒体３７と保護シート３２とが、違和感なくシート状物３１という一つの製品を構成しているように認識させることが可能になり、その結果、結婚式等という市場に受け入れられることがより可能になるため、好ましい。具体的な例を挙げると、シート基板４６に紙を採用する場合では、例えば、コート紙や、アート紙では、その連量が１５７ｇ／ｍｍ以上であれば、シート基板４６が張りを有するようになり、かつ、保護シート３２を形成した際に、保護シート３２の厚み４７を光記録媒体３７の厚み５３よりも薄くすることが可能である。なお、これに限定する必要は無い。また、本実施の形態では、シート基板４６は、長方形であるが、これに限定する必要は無く、光記録媒体３７の輪郭に合わせて、任意の形状にすることが可能である。例えば、正方形であってもよいし、ハートの形や星の形にすることも可能である。
【００７９】
なお、シート基板４６を、正方形や、本実施のような長方形等のように略矩形にすることによって、携帯性を向上させることが可能になり、その結果、結婚式等のどのタイムミングにおいても贈答することが可能になる。
【００８０】
表インキ層３３は、シート基板４６の片面に設けられ、表面と認識される概念駆動型可視情報を有している。本実施の形態では、図示されていないが、表面として認識される概念駆動型可視情報である新郎新婦の画像等が、インキ皮膜としてシート基板４６の片面に設けられており、表インキ層３３を構成している。なお、これに限定する必要は無く、表インキ層３３には、シート状物３２の用途に応じて任意のものを採用することが可能である。例えば、本願発明のシート状物３１を結婚式等における招待客への記念品として贈答する場合では、表面と認識される概念駆動型可視情報には、新郎新婦の名前等や、招待客も一緒に写っている画像等を採用することが可能である。また例えば、本願発明のシート状物３１を結婚式等における招待客へのメッセージカードとして贈答する場合では、表面と認識される概念駆動型可視情報には、招待客へのお礼の言葉等を採用することが可能である。また例えば、本願発明のシート状物３１を席札として使用する場合は、表面と認識される概念駆動型可視情報には招待客の氏名等を採用することが可能である。なお、これらに限定する必要は無く、本願発明のシート状物をどのように使用するかによって、表面と認識される概念駆動型可視情報を任意に定めることが可能である。また、本願発明のシート状物３１を席札として使用する場合、招待客の氏名は、招待客が通常使用しうる形態で、横一文字、若しくは縦一文字に大きくした方がよい。氏名を招待客が通常使用しうる形態で、横一文字、若しくは縦一文字に、大きくすることによって、ある程度離れた距離からでも、一目見ただけで自分の名前と知ることが可能になるため、着席を円滑に進めることが可能になる。
【００８１】
また、本実施の形態では、表インキ層３３は、オフセット印刷方式によって設けられているが、これに限定する必要は無く、任意の方法を採用することが可能である。例えば、印刷方式を採用する場合では、オフセット印刷方式以外にも、グラビア印刷方式やスクリーン印刷方式等の公知の印刷方式を採用することが可能である。また印刷方式以外の方法によって表インキ層３３を設けることも可能であり、例えば、手書きによって設けることも可能であるし、更には、あらかじめ新郎新婦の氏名等を印刷方式や手書き等で設けたシールをシート基板４６に貼着して表インキ層３３を形成するようにしてもよい。なお、表インキ層３３をいかなる方法によって形成した場合でも、表インキ層３３が色あせることが無いようにしたほうが、より結婚式等にふさわしくなるため好ましい。具体的には、例えば、表インキ層３３の上に透明な合成樹脂フィルム等を設け、表インキ層３３を保護するようにするとよい。
【００８２】
また、本実施の形態において、表インキ層３３は、シート基板４６の片面全体に設けられているが、これに限定する必要はなく、表インキ層３３を設ける範囲は、任意に定めることが可能である。なお、表インキ層３３は、シート基板４６からはみ出してはならない。
【００８３】
また、表インキ層３３の背景と、レーベル３９の背景とが略同じになるように、表インキ層３３とレーベル３９を形成すると、シート状物３１を構成した場合に、光記録媒体３７と保護シート３２とが、違和感なくシート状物３１という一つの製品を構成しているように認識させることがより可能になる。例えば、表インキ層３３が有する表面と認識される概念駆動型可視情報が、新郎新婦の画像と花柄の模様の背景である場合は、レーベル３９の背景も表インキ層３３と同じ花柄の模様とした方が、シート状物３１を構成した場合に、光記録媒体３７と保護シート３２とが、違和感なくシート状物３１という一つの製品を構成しているように認識させることがより可能になる。なお、表インキ層３３の背景とは、表インキ層３３が有する表面と認識される概念駆動型可視情報のうち、表面と認識される主要な概念駆動型可視情報以外の部分である。例えば、表インキ層３３に、新郎新婦の氏名等と花柄の模様とを設けた場合は、表面として認識される主要な概念駆動型可視情報は、新郎新婦の氏名等であるので、花柄の模様が背景となる。また、レーベル３９の背景とは、レーベル３９に設けられた概念駆動型可視情報のうち、主要な概念駆動型可視情報以外の部分である。例えば、レーベル３９に、光記録媒体の使用方法の説明書きと花柄の模様を設けた場合は、主要な概念駆動型可視情報は、光記録媒体の使用方法の説明書きであるので、花柄の模様が背景となる。なお、レーベル３９に、例えば、模様だけが設けられていたり、若しくは無地である場合のように、主要な概念駆動型可視情報が存在しない場合は、レーベル３９の全ての部分が背景となる。
【００８４】
また、裏インキ層４４は、シート基板４６のうち、表インキ層３３が設けられた面とは反対側の面に設けられる層であり、概念駆動型可視情報を有している層である。本実施の形態では、図示されていないが、概念駆動型可視情報である招待客へのお礼の言葉が、インキ皮膜としてシート基板４６に設けられており、裏インキ層４４を構成している。なお、これに限定する必要は無く、裏インキ層４４には、シート状物３１の用途に応じて任意のものを採用することが可能である。ただし、裏インキ層４４は、その上に光記録媒体３７と貼着する貼着層４８を有し、光記録媒体３７と貼着する面に設けられる層であるため、表インキ層３３と比較した場合に、裏インキ層４４が保護シート３２の裏面と認識される概念駆動型可視情報であることが好ましい。なお、裏インキ層４４に設けられる概念駆動型可視情報は、保護シートの用途によって任意のものを採用することが可能であるが、例えば、模様や無地等のように「背景」という概念しか駆動しないものであってもよい。このように、裏インキ層４４が「背景」という概念しか駆動しない場合では、表インキ層３３と比較した場合に、すぐに表インキ層３３が保護シート３２の表面であり、裏インキ層４４が保護シート３２の裏面であると認識することが可能になる。また、本実施の形態では、裏インキ層４４は、オフセット印刷方式によって設けられているが、これに限定する必要は無く、任意の方法を採用することが可能である。例えば、印刷方式を採用する場合では、オフセット印刷方式以外にも、グラビア印刷方式やスクリーン印刷方式等の公知の印刷方式を採用することが可能である。また印刷方式以外の方法によって裏インキ層４４を設けることも可能であり、例えば、手書きによって設けることも可能であるし、更には、あらかじめ作成しておいたシールを貼着して裏インキ層４４を形成するようにしてもよい。なお、裏インキ層４４をいかなる方法によって形成した場合でも、裏インキ層４４が色あせることが無いようにしたほうが、より結婚式等にふさわしくなるため好ましい。具体的には、例えば、裏インキ層４４の上に透明な合成樹脂フィルム等を設け、裏インキ層４４を保護するようにするとよい。
【００８５】
また、本実施の形態において、裏インキ層４４は、シート基板４６の片面全体に設けられているが、これに限定する必要はなく、裏インキ層４４を設ける範囲は、任意に定めることが可能である。なお、裏インキ層４４は、シート基板４６からはみ出してはならない。
【００８６】
また、保護シート３２の貼着層４８と光記録媒体３７の情報読み取り面５１とを剥離可能に貼着させてシート状物３１を構成した場合において、シート状物３１の裏面から見た場合に、光記録媒体３７の中心孔３８近傍で、裏インキ層４４とレーベル３９が連続して認知可能な概念駆動型可視情報になるように、表インキ層４４とレーベル３９を形成すると、本願発明のシート状物３１の裏面である光記録媒体３７側が招待客に見えてしまっても中心孔３８が存在することによって生じる不自然感を解消することが可能になる。その結果、例えば、本願発明のシート状物３１を席札として採用した場合に、テーブルの上等に立て掛けて置くことが可能になるため、より離れた地点から席札に書かれた氏名を読むことが可能になり、着席をより円滑に行うことが可能になる。なお、裏インキ層４４とレーベル３９が連続して認知可能な概念駆動型可視情報になるようにするとは、例えば、中心孔３８近傍におけるレーベル３９の概念駆動型可視情報がハートの一部であれば、裏インキ層４４のうち、中心孔３８近傍と貼着する部分の概念駆動型可視情報を、中心孔７によってレーベル３９が有することができないハートの部分にするということである。このようにすると、保護シート３２の貼着層４８と、光記録媒体３７の情報読み取り面５１とを剥離可能に貼着してシート状物３１を構成し、シート状物３１の裏面である光記録媒体３７側から見た場合に、中心孔３９の近傍において、連続して認知可能な概念駆動型可視情報、すなわち、「ハート」を形成することが可能になり、中心孔３９が存在することによって生じる不自然感を解消することが可能になる。
【００８７】
また、貼着層４８は、裏インキ層４４の上に設けられる層であり、光記録媒体３７と貼着する役割を果たす層である。本実施の形態では、貼着層４８は、シリコン素材よりなり、光記録媒体３７の情報記憶領域５０の全体と剥離可能に貼着することができるように、保護シート３２の中心３４から半径２２ｍｍ以上４０ｍｍ以下の範囲にドーナッツ状に設けられている。本実施の形態のように、情報記憶領域５０の全体を貼着層４８によって貼着することが可能になるように、貼着層４８を設けることによって、情報記録領域５０に傷がつくことを防ぐことが可能になるため、容易に再生することが可能になる。また、光記録媒体３７を別途ケース等に収納する必要がなくなるため、製造コストを抑えて、結婚式等において贈答する贈答品を製造することが可能になる。なお、これに限定する必要は無く、貼着層４８は、光記録媒体３７と剥離可能であれば、任意の形状に設けることが可能である。例えば情報記録領域５０も含めた情報読み取り面５１の全体と貼着するように、シート基板４６の片面全体に設けることも可能であるし、また例えば水玉模様を描くように、任意の箇所に数点設けるようにすることも可能である。なお、貼着層４８をどのように設けても、貼着層４８が、シート基板４６からはみ出してはならない。また、光記録媒体３７と保護シート３２とを貼着した際において、光記録媒体３７が有するリブ５４によって光記録媒体３７と保護シート３２との間に形成される間隙がなるべく小さくなるように、リブ５４が収まる凹部を貼着層４８に設けておくとよい。
【００８８】
図８は、図５の点線ｂ−ｂでの断面図である。図５、図６、図７と同じ番号を付したものは同じものであるため説明を割愛し、５５はリブ５４が収まる凹部、５６はシート状物の中心、５７はリブ５４の高さである。
【００８９】
図８において、貼着層４８は、保護シート３２の中心から半径２２ｍｍ以上４０ｍｍ以下の範囲にドーナッツ状に設けられているため、リブ５４が凹部５５に収まり、リブ５４によって光記録媒体３７と保護シート３２との間に形成される間隙を小さくすることを可能にしている。また、本実施の形態において、リブ５４の高さ５７は、０．２３ｍｍであるのに対し、貼着層の厚み４９は０．２５ｍｍであるため、リブ５４によって光記録媒体３７と保護シート３２との間に形成される間隙をより小さくすることが可能になっている。別段貼着層４８の厚み４９はこれに限定する必要は無く任意の厚みにすることが可能であるが、一般的にリブ５４の高さ５７は、０．２３ｍｍ以上０．２５ｍｍ以下であることが多いため、貼着層４８の厚み４９は、少なくとも０．２３ｍｍ以上、更には０．２５ｍｍ以上にすることが好ましい。また、一般的にリブ５４は、光記録媒体３７の中心４１から半径１５．５ｍｍ以上２２ｍｍ以下の範囲に設けられることが多いため、保護シート３２の中心３２から半径１５．５ｍｍ以上２２ｍｍ以下の範囲には貼着層４８を設けず、リブ５４が収まる凹部５５を形成するようにするとよい。なお、貼着層４８の厚み４９を、少なくとも０．２３ｍｍ以上、更には、０．２５ｍｍ以上にした場合においても、保護シート３２の厚み４７が、光記録媒体３７の厚み５３よりも薄くなるようにした方が、シート状物３１を構成した場合に、光記録媒体３７と保護シート３２とが、違和感なくシート状物３１という一つの製品を構成しているように認識させることが可能になり、結婚式等という市場が受け入れることがより可能になるため、保護シート３２の厚み４７は、光記録媒体３７の厚み５３よりも薄くなるようにした方が好ましい。
【００９０】
なお本実施の形態では、貼着層４８は、スクリーン印刷方式によって形成されているが、これに限定する必要は無く、任意の方法を採用することが可能である。例えば、印刷方式を採用する場合では、本実施の形態において採用したスクリーン印刷方式以外にもオフセット印刷方式やグラビア印刷方式を採用してもよいし、また例えば、手作りで設けてもよい。なお、本実施の形態のようにスクリーン印刷方式を採用して貼着層４８を形成すれば、希望の厚みに設けることが可能であり、更に、均等の厚みで設けることが可能である。また、本実施の形態では、貼着層４８はシリコン素材よりなるが、これに限定する必要は無く、光記録媒体３７と貼着する役割を果たすことが可能であれば任意の材料を採用して形成することが可能である。
【００９１】
また図８において、シート基板４６の厚みは、０．２５ｍｍであり、貼着層４８の厚み４９は０．２５ｍｍであるため、保護シート３２の厚み４７は、略０．５ｍｍとなり、光記録媒体３７の厚み５３よりも薄いため、シート状物３１を構成した場合に、光記録媒体３７と保護シート３２とが、違和感なくシート状物３１という一つの製品を構成しているように認識させることが可能になり、結婚式等という市場が受け入れることがより可能になる。なお、本実施の形態のように、保護シート３２の厚み４７が、光記録媒体３７の厚み５３よりも薄くなることに限定する必要は無く、保護シート３２の厚み４７が、光記録媒体３７の厚み５３よりも厚くてもよい。しかし、保護シート３２の厚み４７が、光記録媒体３７の厚み５３よりも薄くなったほうが、シート状物３１を構成した場合に、光記録媒体３７と保護シート３２とが、違和感なくシート状物３１という一つの製品を構成しているように認識させることが可能になり、結婚式等という市場が受け入れることがより可能になるため好ましい。
【図面の簡単な説明】
【００９２】
【図１】図１は、本願発明におけるシート状物の表面を示す正面図である。
【図２】図2は、図１に示すシート状物の裏面を示す正面図である。
【図３】図3は、図１に示すシート状物を構成する光記録媒体と保護シートとを剥離した直後の状態図である。
【図４】図４は、図１の点線a−aでの断面図である。
【図５】図５は、別の実施の形態を示すシート状物の表面を示す正面図である。
【図６】図６は、図５に示すシート状物の裏面を示す正面図である。
【図７】図７は、図５のシート状物を構成する光記録媒体と保護シートとを剥離した直後の状態図である。
【図８】図８は、図５の点線ｂ−ｂでの断面図である。
【符号の説明】
【００９３】
1…シート状物、２…保護シート、３…表インキ層、４…保護シート２の中心、５…保護シート２の直径、６…光記録媒体、７…中心孔、８…レーベル、９…レーベル領域、１０…光記録媒体６の中心、１１…光記録媒体６の直径、１２…裏インキ層、１３…クランプゾーン、１４…シート基板、１５…保護シート２の厚み、１６…貼着層、１７…貼着層１６の厚み、１８…情報記録領域、１９…情報読み取り面、２０…基板、２１…光記録媒体６の厚み、２２…リブ、２５…リブ２２が収まる凹部、２６…シート状物の中心、２７…リブ２２の高さ、３１…シート状物、３２…保護シート、３３…表インキ層、３４…保護シート３２の中心、３５…保護シート３２の長辺、３６…保護シートの短辺、３７…光記録媒体、３８…中心孔、３９…レーベル、４０…レーベル領域、４１…光記録媒体３７の中心、４２…光記録媒体３７の長辺、４３…光記録媒体３７の短片、４４…裏インキ層、４５…クランプゾーン、４６…シート基板、４７…保護シート３２の厚み、４８…貼着層、４９…貼着層４８の厚み、５０…情報記録領域、５１…情報読み取り面、５２…基板、５３…光記録媒体３７の厚み、５４…リブ、５５…リブ５４が収まる凹部、５６…シート状物の中心、５７…リブ５４の高さ
【図１】
2005100532.tif 000003
【図２】
2005100532.tif 000004
【図３】
2005100532.tif 000005
【図４】
2005100532.tif 000006
【図５】
2005100532.tif 000007
【図６】
2005100532.tif 000008
【図７】
2005100532.tif 000009
【図８】
2005100532.tif 000010